(57)【要約】      （修正有）【課題】顎関節症の治療のため、顎関節の循環を改善し、上下前歯の咬合位置関係を保ち、臼歯部の低位移動を防ぐ、可撤式の歯科器具を提供する。【解決手段】上下前歯の咬合位置を変えないように、レジン又は、金属等にて、上顎の中切歯と側切歯の４本と、下顎前歯との接触点に、物理的に、間隔を保持する器具を、就寝時に、はさむ。人体で、敏感な部位（切歯乳頭周辺と中切歯等）が、歯軋りの挙動を、探知でき、歯軋りをコントロールし、バイオフィードバック効果で、歯と顎関節を、健全に、守る。【選択図】図１
2009082670.tif 000002
【特許請求の範囲】
【請求項１】
上顎中切歯と上顎側切歯の、下顎前歯との最も距離の短い部位を、物理的に、間隔を空ける。臼歯部の咬合面は、覆わない。口蓋も、上顎歯列の保持を強めるために、覆うこともある。上顎歯列の唇頬側には、金属製のワイヤーで、歯列の保持を図る。発明装置の脱落を防ぐため、金属ワイヤーにて、歯牙にクラスプ等を、かける。上下顎前歯の挺出を防ぐために、咬頭嵌合位において、上顎の中切歯・側切歯の、下顎前歯との最も距離の短い箇所を覆う。この、可撤式の歯科医療器具。
【請求項２】
口蓋を覆う部分と前歯挙上部分は、レジンや義歯用金属でつくる。躯体部分は、金属で補強する。クラスプは、義歯用金属や合成樹脂でつくる。
【請求項３】
クラスプの位置は、使いやすい歯牙を適宜選ぶ。
【請求項４】
歯列唇側に付けるワイヤーは、透明あるいは歯牙と同色の合成樹脂でつくるときも、ある。
【請求項５】
上下の前歯に挟まれる咬合挙上部は、義歯用レジンで作られるが、金属ワイヤーや合成繊維等により、必要に応じて補強される。この部分の厚み等形態は、適宜調整される。より厚いときは、臼歯の低位移動防止効果が期待される。
【請求項６】
人体の敏感な部分である切歯乳頭と中切歯に、歯軋り等の咬合力の変化を、伝えることによって、歯軋り防止効果を、期待する。
【請求項７】
調節された適切な歯軋り等の運動により、就寝時の顎関節部の循環を、良好なものとする。これにより、顎関節症の治療を図る。
【請求項８】
前歯部分に、物理的に、間隔を空ける物体を介在することにより、歯並びの挙上及び保持を図る。これにより、顎運動にたいする前歯による誘導が不変のものとなり、顎運動が安定する。
【請求項９】
過大な力の働く歯軋りが減少することにより、臼歯部の低位移動及び、磨耗、砕折が無くなり、顎運動にたいする臼歯部の誘導が不変のものとなり、顎運動が、安定する。
【請求項１０】
前歯の歯並びが安定して、ハリウッドスマイルの審美性が、長持ちする。
【請求項１１】
前歯の顎運動の誘導は安定し、中切歯と側切歯の干渉が、少なくなり、顎関節部周辺への、不随意の筋緊張が、無くなり、病的筋痛が、減少する、そして、顎関節部周辺の循環状況が改善する。
【発明の詳細な説明】
【技術分野】
【０００１】本発明は、顎関節症を治療するために、就寝時の歯軋りを、人体の敏感な部分である中切歯等でセンシングして、有効活用して、顎関節部の循環の改善及び、安定な顎運動の誘導のための、歯並びに関する。
【背景技術】
【０００２】従来の可撤式の歯並び保持装置では、上下前歯の挺出を防ぐことは、難しい。θの発音の無い日本人には、前歯は、閉じやすい。そこで、歯牙を削り、冠を被せたり、歯牙舌面のワイヤーを接着する等、永久固定が必要であった。また、従来の顎関節症治療のためのマウスピースは、歯牙の圧下を招きやすく（例えば、特許文献１参照）、顎関節症の治療は、難しいと、言われていた。また、マウスピースを外す次期を決定することが難しい。マウスピースを装着したときと、外したときの、ユーザーの咬合に対する感覚的な差が、大変に大きかった。マウスピースを外しては生活できないというユーザーも多かった。
【特許文献１】特許公開平１１−１５５８８４図７−（ａ）
【発明の開示】
【発明が解決しようとする課題】
【０００３】顎関節症の治療のため、臼歯部には、圧下の力を与えずに、顎関節部の、循環を改善する。【０００４】歯軋り等は、顎関節症等の原因でもあり、歯と歯周組織を傷つけるので、防ぎたい。【０００５】歯軋り等、抗ストレス運動のリラックス効果を高める。【０００６】歯牙を削ったりしないで、ハリウッドスマイルの歯並びを、就寝時の可撤式装置の装着で、保持する。
【課題を解決するための手段】
【０００７】上顎中切歯と上顎側切歯の、下顎前歯との最も距離の短い部位を、物理的に、間隔を空ける。臼歯部の咬合面は、覆わない。【０００８】口蓋も、上顎歯列の保持を強めるために、覆うこともある。【０００９】上顎歯列の唇頬側には、金属製のワイヤーで、歯列の保持を図る。【００１０】本発明の実施の形態の脱落を防ぐため、金属ワイヤーにて、歯牙にクラスプ等を、かける。【００１１】上下顎前歯の挺出を防ぐために、咬頭嵌合位において、上顎の中切歯・側切歯の、下顎前歯との最も距離の短い箇所を覆う。【００１２】口蓋を覆う部分と前歯挙上部分は、レジンや義歯用金属でつくる。【００１３】躯体部分は、金属で補強する。【００１４】クラスプは、義歯用金属や合成樹脂でつくる。【００１５】クラスプの位置は、使いやすい歯牙を適宜選ぶ。【００１６】歯列唇側に付けるワイヤーは、透明あるいは歯牙と同色の合成樹脂でつくるときも、ある。【００１７】上下の前歯に挟まれる咬合挙上部は、義歯用レジンで作られるが、金属ワイヤーや合成繊維等により、必要に応じて補強される。この部分の厚み等形態は、適宜調整される。より厚いときは、臼歯の低位移動防止と挺出効果を図る。【００１８】人体の敏感な部分である切歯乳頭と中切歯に、歯軋り等の咬合力の変化を、伝えることによって、歯軋り防止効果を、図る。【００１９】調節された適切な歯軋り等の運動により、就寝時の顎関節部の循環を、良好なものとする。これにより、顎関節症の治療を図る。【００２０】前歯部分に、物理的に、間隔を空ける物体をはさむことにより、歯並びの挙上及び保持を図る。これにより、顎運動に対する前歯による誘導が不変のものとなり、顎運動が安定する。【００２１】過大な力の働く歯軋りが減少することにより、臼歯部の低位移動及び、磨耗、破折が無くなり、顎運動にたいする臼歯部の誘導が不変のものとなり、顎運動が、安定する。【００２２】前歯の歯並びが安定して、ハリウッドスマイルの審美性が、長持ちする。【００２３】前歯の顎運動の誘導は、前歯の歯並びが保持されるために、中切歯と側切歯の干渉が、少なくなり、顎関節部周辺への、不随意の筋緊張が、無くなり、病的筋痛が、減少し、関節部周辺の循環状況が改善する。
【発明の効果】
【００２４】臼歯部には、低位させる力がほとんど働かないために、本発明は、臼歯部の圧下や磨耗や破折を防ぐ。就寝時のみの装着であるから、ユーザーは、日中は、普段どおりの生活を送ることができる。【００２５】歯軋りは、普通は、奥歯で行われるが、本発明により、前歯が常に接触している状態にあり、わずかな顎を動かす力が、人体で最も敏感な、切歯乳頭、上下中切歯を刺激して、そのリラックス効果を高める。これは、破壊的な過度の歯軋り防止の効果を持つ。この、微小歯軋りは、顎関節部の滑液等の循環を促進する。また、顎関節円板周囲の炎症の鎮静効果をもつ。【００２６】上下前歯の位置関係が不変となり、顎運動のアンテリアガイダンスが安定する。臼歯部は、歯軋りによる破壊からまぬがれて、ポステリアガイダンスが安定する。【００２７】顎運動が安定することにより、顎関節部の不調が改善する。【００２８】前歯の歯並びが、保持され、審美性が、保たれる。
【発明を実施するための最良の形態】
【００２９】以下、本発明の実施の形態を図面に基づいて説明する。
【実施例１】
【００３０】図１は、本発明の、１実施形態に係る可撤式器具を示す平面図である。犬歯と第一小臼歯の噛み合わせが、緊密でないときは、この２本の歯牙の間に金属ワイヤーを通し、左右の犬歯の唇側にワイヤーを通す。上顎中切歯と上顎側切歯の舌側を覆うように、義歯用レジン又は歯科用金属で、咬合挙上のシートをつくる。上顎歯列舌側には、金属又は、金属で補強されたレジンで密接する躯体をつくる。装置が、はずれないように、適当な歯牙にクラスプをかける。図２は、本発明の１実施形態を側面から見た図である。図３は、本発明の１実施形態における歯科器具のユーザーの咬合段階の矢状断面の模式図である。ｂは、唇側のワイヤーである。ａは、上顎中切歯である。ｃは、下顎前歯である。本発明の１実施形態は、歯軋り等の咬合力を、鋭敏に、上顎中切歯と切歯乳頭に伝える。図４は、本発明の１実施形態における正面図である。
【実施例２】
【００３１】上顎歯列の保持力を強化したいときなどは、口蓋を覆う。この本発明の実施の１形態を図で説明する。図５は、本発明の１実施の形態の平面図である。口蓋を覆う材質は、金属で補強されたレジン又は金属である。図６は側面図である。図７は、本発明の１実施の形態の正面図である。図８は、本発明の１実施の形態のユーザーの咬合段階の矢状断面の模式図である。図９は、本発明の１実施形態における歯科器具の上部斜視図である。
【実施例３】
【００３２】図１０は、上下の噛み合わせが緊密であるときで、口蓋を覆う場合で、後方臼歯にクラスプをかけた本発明の１実施の形態の平面図である。図１１は、側面図である。
【実施例４】
【００３３】図１２は、上下の噛み合わせが緊密であるときで、口蓋を覆わない場合で、最後臼歯にクラスプをかけた本発明の１実施の形態の平面図である。
【図面の簡単な説明】
【００３４】
【図１】平面図  犬歯と第一小臼歯の噛み合わせが、緊密でない。口蓋を覆わない、本発明の１実施の形態の平面図。
【００３５】
【図２】側面図  犬歯と第一小臼歯の噛み合わせが、緊密でない。口蓋を覆わない、本発明の１実施の形態の側面図。
【００３６】
【図３】矢状断面の模式図  犬歯と第一小臼歯の噛み合わせが、緊密でない。口蓋を覆わない、本発明の１実施の形態のユーザーの咬合段階の矢状断面の模式図。
【００３７】
【図４】正面図  犬歯と第一小臼歯の噛み合わせが、緊密でない。口蓋を覆わない、本発明の１実施の形態の正面図。
【００３８】
【図５】平面図  犬歯と第一小臼歯の噛み合わせが、緊密でない。口蓋を覆う、本発明の１実施の形態の平面図。
【００３９】
【図６】側面図  犬歯と第一小臼歯の噛み合わせが、緊密でない。口蓋を覆う、本発明の１実施の形態の側面図。
【００４０】
【図７】正面図  犬歯と第一小臼歯の噛み合わせが、緊密でない。口蓋を覆う、本発明の１実施の形態の正面図。
【００４１】
【図８】矢状断面の模式図  犬歯と第一小臼歯の噛み合わせが、緊密でない。口蓋を覆う、本発明の１実施の形態のユーザーの咬合段階の矢状断面の模式図。
【００４２】
【図９】上部斜視図  犬歯と第一小臼歯の噛み合わせが、緊密でない。口蓋を覆う、本発明の１実施の形態の上部斜視図。
【００４３】
【図１０】平面図  犬歯と第一小臼歯の噛み合わせが、緊密であり。口蓋を覆う、本発明の１実施の形態の平面図。
【００４４】
【図１１】側面図  犬歯と第一小臼歯の噛み合わせが、緊密であり。口蓋を覆う、本発明の１実施の形態の側面図。
【００４５】
【図１２】平面図  犬歯と第一小臼歯の噛み合わせが、緊密であり。口蓋を覆わない、本発明の１実施の形態の平面図。
【符号の説明】
【００４６】ａ：上顎前歯、ｂ：唇側ワイヤー、ｃ：下顎前歯、ｄ：前歯挙上シート、ｅ：躯体、ｆ：クラスプ
【図１】
2009082670.tif 000003
【図２】
2009082670.tif 000004
【図３】
2009082670.tif 000005
【図４】
2009082670.tif 000006
【図５】
2009082670.tif 000007
【図６】
2009082670.tif 000008
【図７】
2009082670.tif 000009
【図８】
2009082670.tif 000010
【図９】
2009082670.tif 000011
【図１０】
2009082670.tif 000012
【図１１】
2009082670.tif 000013
【図１２】
2009082670.tif 000014